(57)【特許請求の範囲】
【請求項１】
商品の配送希望日、及び、受取場所を指定する入力を受付ける受取情報受付手段と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段と、
選択された前記販売商品を、指定された配送希望日までに指定された受取場所に配送可能な前記販売商品として、指定された配送希望日までに指定された受取場所に配送不可能な前記販売商品と共に出力する購入受付手段と、
を有し、
前記購入受付手段は、前記販売商品を購入する入力を受付け、購入を受付けた前記販売商品が指定された配送希望日までに指定された受取場所に配送不可能な場合、指定された配送希望日まで指定された受取場所に配送できない旨を通知する商品情報提供装置。
【請求項２】
請求項１に記載の商品情報提供装置において、
前記選択手段は、現在の配送ルートの状況を考慮して、指定された配送希望日までに指定された受取場所に配送可能な前記販売商品を選択する商品情報提供装置。
【請求項３】
請求項１又は２に記載の商品情報提供装置において、
複数のユーザ各々を識別するユーザ識別情報の入力を受付けるユーザ識別情報受付手段と、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段と、
をさらに有し、
前記選択手段は、複数の前記販売商品各々に関連する場所を示す商品情報に基づき、前記移動履歴情報において訪問したと示される場所に関連する前記販売商品を選択する商品情報提供装置。
【請求項４】
請求項１又は２に記載の商品情報提供装置において、
複数のユーザ各々を識別するユーザ識別情報の入力を受付けるユーザ識別情報受付手段と、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段と、
をさらに有し、
前記購入受付手段は、複数の前記販売商品各々に関連する場所を示す商品情報に基づき、前記選択手段に選択された前記販売商品の中から、前記移動履歴情報において訪問したと示される場所に関連する前記販売商品を特定し、特定した前記販売商品を他の前記販売商品よりも優先的に出力する商品情報提供装置。
【請求項５】
請求項１から４のいずれか１項に記載の商品情報提供装置において、
複数のユーザ各々を識別するユーザ識別情報の入力を受付けるユーザ識別情報受付手段と、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記選択手段は、複数の前記販売商品各々に関連する場所を示す商品情報に基づき、前記旅行スケジュールに含まれる訪問予定場所に関連する前記販売商品を選択する商品情報提供装置。
【請求項６】
請求項１から４のいずれか１項に記載の商品情報提供装置において、
複数のユーザ各々を識別するユーザ識別情報の入力を受付けるユーザ識別情報受付手段と、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記購入受付手段は、複数の前記販売商品各々に関連する場所を示す商品情報に基づき、前記選択手段に選択された前記販売商品の中から、前記旅行スケジュールに含まれる訪問予定場所に関連する前記販売商品を特定し、特定した前記販売商品を他の前記販売商品よりも優先的に出力する商品情報提供装置。
【請求項７】
請求項１から６のいずれか１項に記載の商品情報提供装置において、
複数のユーザ各々を識別するユーザ識別情報の入力を受付けるユーザ識別情報受付手段と、
出国予定日及び出国場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記受取情報受付手段は、前記旅行スケジュールに含まれる出国場所を、指定可能な受取場所として表示する商品情報提供装置。
【請求項８】
請求項７に記載の商品情報提供装置において、
前記受取情報受付手段は、前記出国場所を受取場所とする指定を受付けた場合、現在の日付を基準に特定される所定日以降、かつ、前記出国予定日以前を、指定可能な配送希望日として表示する商品情報提供装置。
【請求項９】
請求項７又は８に記載の商品情報提供装置において、
前記旅行スケジュールは、さらに、宿泊予定日及び宿泊場所を含み、
前記受取情報受付手段は、前記旅行スケジュールに含まれる宿泊場所を、さらに、指定可能な受取場所として表示する商品情報提供装置。
【請求項１０】
請求項９に記載の商品情報提供装置において、
前記受取情報受付手段は、前記旅行スケジュールに含まれる宿泊場所であって、宿泊予定日が現在の日付より前の宿泊場所を、指定可能な受取場所として表示しない商品情報提供装置。
【請求項１１】
請求項９又は１０に記載の商品情報提供装置において、
前記受取情報受付手段は、一の宿泊場所を受取場所とする指定を受付けた場合、現在の日付を基準に特定される所定日以降、かつ、宿泊予定日以前を、指定可能な配送希望日として表示する商品情報提供装置。
【請求項１２】
請求項７乃至１１のいずれか１項に記載の商品情報提供装置において、
前記受取情報受付手段は、一の配送希望日の指定を受付けた場合、前記旅行スケジュールに含まれる宿泊場所及び出国場所であって、当該配送希望日以降に訪問予定の宿泊場所及び出国場所を、指定可能な受取場所として表示する商品情報提供装置。
【請求項１３】
コンピュータが、
商品の配送希望日、及び、受取場所を指定する入力を受付ける受取情報受付工程と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択工程と、
選択された前記販売商品を、指定された配送希望日までに指定された受取場所に配送可能な前記販売商品として、指定された配送希望日までに指定された受取場所に配送不可能な前記販売商品と共に出力する購入受付工程と、
を実行し、
前記購入受付工程で、前記販売商品を購入する入力を受付け、購入を受付けた前記販売商品が指定された配送希望日までに指定された受取場所に配送不可能な場合、指定された配送希望日まで指定された受取場所に配送できない旨を通知する商品情報提供方法。
【請求項１４】
コンピュータを、
商品の配送希望日、及び、受取場所を指定する入力を受付ける受取情報受付手段、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段、
選択された前記販売商品を、指定された配送希望日までに指定された受取場所に配送可能な前記販売商品として、指定された配送希望日までに指定された受取場所に配送不可能な前記販売商品と共に出力する購入受付手段、
として機能させ、
前記購入受付手段は、前記販売商品を購入する入力を受付け、購入を受付けた前記販売商品が指定された配送希望日までに指定された受取場所に配送不可能な場合、指定された配送希望日まで指定された受取場所に配送できない旨を通知するプログラム。
【発明の詳細な説明】
【技術分野】
【０００１】
本発明は、商品情報提供装置、商品情報提供方法、及び、プログラムに関する。
【背景技術】
【０００２】
特許文献１には、商品を購入する顧客が有する購買者端末と、購買者端末から購入予約を受けた商品を所定の販売場所に移動して販売する販売店が有する販売店端末と、購買者端末と販売店端末との間で行われた商品の移動販売を仲介する購買決済仲介装置とを、ネットワークを介して接続した移動販売のためのシステムが開示されている。
【０００３】
購買者端末は、購入対象商品の少なくとも販売場所および販売日時を指定して購入予約することにより購入予約処理を実行する購入予約手段を備える。購買決済仲介装置は、購入予約処理に基づいて各販売店についての購入予約商品データを集計して、各販売店の販売場所毎の利益指標を算出する利益指標算出手段を備える。販売店端末は、利益指標を算出した複数の販売場所のうち、少なくとも１つの販売場所を選択して成約販売場所として決定する販売先決定手段を備える。購買決済仲介装置は、成約販売場所に対応する商品を購入予約した購買者端末に対して商品の引換ＩＤを送信すると共に、当該購買者端末を有する顧客に対し決済処理を実行する決済手段をさらに備える。
【０００４】
特許文献２には、双方向通信ネットワークによって、旅行支援提供側装置が旅行消費者側装置に対して旅行の総合支援の提供を行う方法が開示されている。
【０００５】
当該方法は、旅行支援提供側装置が予め旅行にかかる複数の情報をデータベースに登録するステップと、旅行消費者側装置が旅行支援提供側装置と回線接続するステップと、旅行支援提供側装置が旅行の計画を含む旅行情報を旅行消費者側装置に提供するステップと、旅行消費者側装置が旅行支援提供側装置から提供された旅行情報中の所望の情報を指定するステップと、旅行支援提供側装置が旅行消費者側装置から指定された旅行情報を転送するステップと、旅行支援提供側装置からの旅行情報を旅行消費者側装置が取り込んで表示するステップと、この表示画面に旅行消費者側装置が入力を行って旅行支援提供側装置に転送するステップと、旅行支援提供側装置が旅行消費者側装置からの入力旅行情報に基づいて決定した旅行情報を旅行消費者側装置に転送するステップと、を有する。
【０００６】
特許文献３には、交通機関を利用して店舗に訪れてくれたお客さんに対し、所定のサービスを提供可能にするシステムが開示されている。当該システムは、少なくともユーザＩＤを記憶する記憶媒体と、交通機関側装置と、店舗側装置と、決済サーバとを含む。
【０００７】
交通機関側装置は、上記記憶媒体を携帯するユーザが交通機関を利用する際に、携帯される記憶媒体からユーザＩＤを読み出す読出手段と、当該ユーザによる交通機関の利用に係る情報と読出手段により読み出されたユーザＩＤとを移動情報として送出する送出手段とを備える。
【０００８】
店舗側装置は、上記憶媒体を携帯するユーザが商品を購入する際に、携帯される記憶媒体からユーザＩＤを読み出す読出手段と、当該ユーザによる商品の購入に係る情報と、読出手段により読み出されたユーザＩＤとを購入情報として送出する送出手段とを備える。
【０００９】
決済サーバは、移動情報及び購入情報を受信する受信手段と、購入情報に含まれる購入金額から、当該購入情報とユーザＩＤが一致する移動情報に含まれる運賃の全額又は一部を減算することにより、ユーザに対する請求額として修正後購入金額を算出する算出手段とを備える。
【先行技術文献】
【特許文献】
【００１０】
【特許文献１】特開２０１５−１３５６６９号公報
【特許文献２】特開２０１０−１２３１３９号公報
【特許文献３】特開２００６−１３４０１８号公報
【発明の概要】
【発明が解決しようとする課題】
【００１１】
「配送希望日までに配送できること」を最優先事項として、インターネット上での買い物（以下、「ネットショッピング」）を行う場合がある。例えば、「誕生日等の記念日用のプレゼントを購入する場合」、「開催日が決定しているイベント（例：ゴルフコンペ）で使用するプレゼントや備品を購入する場合」、「海外からの旅行者が旅行中に国内の所定場所で商品を受け取る場合」等が考えられる。
【００１２】
通常、ショッピングサイトでは、複数の商品が一覧表示される。そして、買物客はその中から購入対象を選択することになる。
【００１３】
この一覧表示の中に、「配送希望日までに配送できる商品」、及び、「配送希望日までに配送できない商品」が混在していると、買物客による購入商品選択作業（購入する商品を選択する作業）の効率が悪い。特許文献１乃至３は、当該問題を解決する手段を開示していない。
【００１４】
本発明は、ネットショッピングにおけるユーザ作業の効率を向上させることを課題とする。
【課題を解決するための手段】
【００１５】
本発明によれば、
商品の配送希望日、及び、受取場所を指定する入力を受付ける受取情報受付手段と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段と、
選択された前記販売商品を、指定された配送希望日までに指定された受取場所に配送可能な前記販売商品として、指定された配送希望日までに指定された受取場所に配送不可能な前記販売商品と共に出力する購入受付手段と、
を有し、
前記購入受付手段は、前記販売商品を購入する入力を受付け、購入を受付けた前記販売商品が指定された配送希望日までに指定された受取場所に配送不可能な場合、指定された配送希望日まで指定された受取場所に配送できない旨を通知する商品情報提供装置が提供される。
【００１６】
また、本発明によれば、
コンピュータが、
商品の配送希望日、及び、受取場所を指定する入力を受付ける受取情報受付工程と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択工程と、
選択された前記販売商品を、指定された配送希望日までに指定された受取場所に配送可能な前記販売商品として、指定された配送希望日までに指定された受取場所に配送不可能な前記販売商品と共に出力する購入受付工程と、
を実行し、
前記購入受付工程で、前記販売商品を購入する入力を受付け、購入を受付けた前記販売商品が指定された配送希望日までに指定された受取場所に配送不可能な場合、指定された配送希望日まで指定された受取場所に配送できない旨を通知する商品情報提供方法が提供される。
【００１７】
また、本発明によれば、
コンピュータを、
商品の配送希望日、及び、受取場所を指定する入力を受付ける受取情報受付手段、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段、
選択された前記販売商品を、指定された配送希望日までに指定された受取場所に配送可能な前記販売商品として、指定された配送希望日までに指定された受取場所に配送不可能な前記販売商品と共に出力する購入受付手段、
として機能させ、
前記購入受付手段は、前記販売商品を購入する入力を受付け、購入を受付けた前記販売商品が指定された配送希望日までに指定された受取場所に配送不可能な場合、指定された配送希望日まで指定された受取場所に配送できない旨を通知するプログラムが提供される。
【発明の効果】
【００１８】
本発明によれば、ネットショッピングにおけるユーザ作業の効率が向上する。
【図面の簡単な説明】
【００１９】
【図１】本実施形態の装置のハードウエア構成の一例を示す図である。
【図２】本実施形態の商品情報提供システムの全体像を示す機能ブロック図の一例である。
【図３】本実施形態の商品情報提供装置の機能ブロック図の一例である。
【図４】本実施形態の商品情報提供装置が提供する画面（ウェブページ）の一例を模式的に示す図である。
【図５】本実施形態の選択部の機能ブロック図の一例である。
【図６】本実施形態の商品情報記憶部が記憶する商品情報の一例を模式的に示す図である。
【図７】本実施形態の配送情報の一例を模式的に示す図である。
【図８】本実施形態の商品情報提供装置の処理の流れの一例を示すフローチャートである。
【図９】本実施形態の遅延情報の一例を模式的に示す図である。
【図１０】本実施形態の商品情報提供装置の機能ブロック図の一例である。
【図１１】本実施形態の移動履歴情報の一例を模式的に示す図である。
【図１２】本実施形態の商品情報提供装置の機能ブロック図の一例である。
【図１３】本実施形態の商品情報提供装置の機能ブロック図の一例である。
【図１４】本実施形態の旅行情報の一例を模式的に示す図である。
【図１５】本実施形態の旅行スケジュールの一例を模式的に示す図である。
【図１６】本実施形態の旅行スケジュールの一例を模式的に示す図である。
【図１７】本実施形態の商品情報提供装置の機能ブロック図の一例である。
【図１８】本実施形態の商品情報提供装置の機能ブロック図の一例である。
【図１９】本実施形態の商品情報提供装置が提供する画面（ウェブページ）の一例を模式的に示す図である。
【図２０】本実施形態の商品情報提供装置が提供する画面（ウェブページ）の一例を模式的に示す図である。
【図２１】本実施形態の商品情報提供装置が提供する画面（ウェブページ）の一例を模式的に示す図である。
【図２２】本実施形態の商品情報提供装置が提供する画面（ウェブページ）の一例を模式的に示す図である。
【図２３】本実施形態の商品情報提供装置が提供する画面（ウェブページ）の一例を模式的に示す図である。
【図２４】本実施例の処理の流れの一例を示すシーケンス図である。
【図２５】本実施例の処理の流れの一例を示すシーケンス図である。
【図２６】本実施例の処理の流れの一例を示すシーケンス図である。
【発明を実施するための形態】
【００２０】
まず、本実施形態の装置（商品情報提供装置）のハードウエア構成の一例について説明する。図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路には、様々なモジュールが含まれる。
【００２１】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、外部装置や外部サーバ等から情報を取得するためのインターフェイスなどを含む。プロセッサ１Ａは、各モジュールに指令を出し、それらの演算結果をもとに演算を行う。
【００２２】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２３】
＜第１の実施形態＞
まず、本実施形態の概要について説明する。図２は、本実施形態の商品情報提供システムの全体像を示す機能ブロック図の一例である。図示するように、本実施形態の商品情報提供システムは、商品情報提供装置１と、端末装置２と、ネットワーク３とを有する。
【００２４】
商品情報提供装置１及び端末装置２は、ネットワーク３と繋がり、互いに情報の送受信をできるようになっている。端末装置２は、ネットワーク３に接続可能な装置であり、ＰＣ（Personal Computer）、タブレット、スマートフォン、携帯電話、公共エリアに設置されたネットショッピングのための専用端末等が考えられる。
【００２５】
本実施形態の商品情報提供装置１は、複数の販売商品の情報を提供するとともに、当該販売商品の購入手続きを受付けるサービス（ネットショッピングサービス）を提供するサーバ（ウェブサーバ、インターネットサーバ）である。商品情報提供装置１は、端末装置２（クライアント端末）からの要求に応じて、複数の販売商品の情報（例：販売商品の画像、名称、価格、口コミ等）をウェブページとして提供する。そして、商品情報提供装置１は、端末装置２からの要求に応じて、販売商品の購入手続きを受付ける。
【００２６】
本実施形態の商品情報提供装置１は、端末装置２から商品の「配送希望日」及び「受取場所」を指定する入力を受付けると、複数の販売商品の中から、指定された配送希望日までに指定された受取場所に配送可能な販売商品を選択する。そして、複数の販売商品の情報を提供する際、選択した販売商品を、指定された配送希望日までに指定された受取場所に配送可能な販売商品として出力する。
【００２７】
本実施形態によれば、端末装置２を操作する買物客は、指定した配送希望日までに指定した受取場所に配送可能な販売商品を容易に識別し、その販売商品を選択的に検討することができる。結果、購入商品選択作業の効率が向上する。
【００２８】
次に、本実施形態の商品情報提供装置１の構成について詳細に説明する。図３に、本実施形態の商品情報提供装置１の機能ブロック図の一例を示す。図示するように、商品情報提供装置１は、受取情報受付部１０と、選択部２０と、購入受付部３０とを有する。
【００２９】
受取情報受付部１０は、商品の配送希望日、及び、受取場所を指定する入力を受付ける。例えば、受取情報受付部１０は、端末装置２からの要求に応じ、商品の配送希望日、及び、受取場所の入力を受付けるＧＵＩ（Graphical User Interface）部品を含むウェブページを提供する。
【００３０】
図４に、上記ウェブページの一例を模式的に示す。当該ウェブページは、端末装置２のディスプレイに表示される。買物客は、端末装置２を操作し、商品の配送希望日、及び、受取場所の入力を行う。図示する例では、テキストボックス（テキストフィールド）で受取場所（住所）の入力を受付け、ドロップダウンリストで配送希望日の入力を受付ける。そして、決定ボタンが操作（クリック、タップ等）されると、入力された内容が、端末装置２から商品情報提供装置１に送信される。受取情報受付部１０は、送信されてきた商品の配送希望日、及び、受取場所を受信する。なお、図４のウェブページはあくまで一例であり、その他のＧＵＩ部品を用いて受取場所及び配送希望日の入力を受付けてもよい。
【００３１】
図３に戻り、選択部２０は、複数の販売商品各々を指定された受取場所に配送するために要する時間（例：日数）を特定するための配送情報に基づき、予め登録された複数の販売商品の中から、指定された配送希望日までに指定された受取場所に配送可能な販売商品を選択する。「指定された配送希望日」及び「指定された受取場所」は、受取情報受付部１０が受付けた「配送希望日」及び「受取場所」である。
【００３２】
図５に、このような選択部２０の機能ブロック図の一例を示す。図示するように、選択部２０は、商品情報記憶部２１と、商品選択部２２とを有する。
【００３３】
商品情報記憶部２１には、予め、複数の販売商品に関する情報（以下、「商品情報」）が記憶される。商品情報は、例えば、商品名、販売価格、販売者情報（氏名、住所、電話番号等）、商品画像、在庫数、商品に関連する地域（産地等）等が考えられるが、他の情報をさらに含んでもよいし、例示したものの一部を含まなくてもよい。図６に、商品情報記憶部２１が記憶する商品情報の一例を模式的に示す。図示する例では、複数の販売商品各々を識別するための販売商品ＩＤに、商品情報（商品名、価格等）が対応付けられている。
【００３４】
図５に戻り、商品選択部２２は、配送情報に基づき、商品情報記憶部２１に記憶されている複数の販売商品の中から、指定された配送希望日までに指定された受取場所に配送可能な販売商品を選択する。
【００３５】
配送情報は、複数の販売商品各々を、指定された受取場所に配送するために要する時間（例：日数）を特定するための情報である。配送情報の詳細は特段制限されないが、以下一例を説明する。
【００３６】
図７に、配送情報の一例を示す。図示する配送情報は、販売商品ＩＤ「００００００１」の販売商品に対応する配送情報である。図示する配送情報においては、配送先を複数の地域に分け、地域毎に、注文を受付けた日から配送するために要する日数を示している。
【００３７】
このような配送情報によれば、例えば指定された受取場所が北海道である場合、商品選択部２２は、販売商品ＩＤ「００００００１」の販売商品を受取場所（北海道）に配送するために、注文を受付けた日から×日（例：翌日起算。以下同様。）必要であることを特定できる。
【００３８】
例えば、図７に示すような配送情報が、各販売商品に対応付けて、商品情報記憶部２１に記憶されている。なお、販売商品をグループ化し、各グループに対応付けて、図７に示すような配送情報を商品情報記憶部２１に記憶してもよい。例えば、在庫場所が同じである販売商品どうしを同じグループに含めてもよい。
【００３９】
商品選択部２２は、配送情報に基づき、販売商品ごとに（又は上記グループ毎に）、指定された受取場所に配送するために要する時間（以下、「配送時間」）を特定した後、現在の日付と、特定した配送時間（例：配送日数）とに基づき、最短の配送日を算出する。例えば、現在の日付に、特定した配送日数を加えた日付を、最短の配送日として算出してもよい。そして、商品選択部２２は、最短の配送日が、指定された配送希望日以前である販売商品を、指定された配送希望日までに指定された受取場所に配送可能な販売商品として選択する。
【００４０】
図３に戻り、購入受付部３０は、選択部２０により選択された販売商品を、指定された配送希望日までに指定された受取場所に配送可能な販売商品として出力する。
【００４１】
例えば、購入受付部３０は、商品選択部２２により選択された販売商品の商品情報を商品情報記憶部２１から取得する。そして、取得した商品情報を所定の形式で一覧表示したウェブページを作成し、端末装置２に提供する。当該例の場合、商品選択部２２により選択された販売商品（指定された配送希望日までに指定された受取場所に配送可能な販売商品）のみが一覧表示されたウェブページを端末装置２に提供できる。
【００４２】
購入受付部３０は、このようなウェブページを介して、一覧表示した販売商品の中のいずれかを購入する入力を受付けてもよい。当該処理は、従来技術に準じて実現できる。
【００４３】
他の例として、購入受付部３０は、すべての販売商品の商品情報を商品情報記憶部２１から取得する。そして、取得した商品情報を所定の形式で一覧表示するとともに、商品選択部２２により選択された販売商品のみに対応付けて、「指定された配送希望日までに指定された受取場所に配送可能」であることを示す情報を付したウェブページを作成し、端末装置２に提供する。当該例の場合、商品情報記憶部２１に記憶されているすべての販売商品が一覧表示され、かつ、指定された配送希望日までに指定された受取場所に配送可能な販売商品にその旨の情報が付されたウェブページを端末装置２に提供できる。
【００４４】
購入受付部３０は、このようなウェブページを介して、一覧表示した販売商品の中のいずれかを購入する入力を受付けてもよい。なお、「指定された配送希望日までに指定された受取場所に配送可能」でない販売商品が購入対象として選択された場合、購入受付部３０は、購入手続きが完了する前に警告を出力してもよい。例えば、「当該商品は、指定された配送希望日までに指定された受取場所に配送できませんがよろしいですか？」等の警告文を任意の手段で端末装置２に提供してもよい。
【００４５】
次に、図８のフローチャートを用いて、本実施形態の受取情報受付部１０の処理の流れの一例を説明する。
【００４６】
まず、受取情報受付工程Ｓ１では、受取情報受付部１０が、商品の配送希望日、及び、受取場所を指定する入力を受付ける。
【００４７】
選択工程Ｓ２では、選択部２０が、配送情報に基づき、予め登録された複数の販売商品の中から、指定された配送希望日までに指定された受取場所に配送可能な販売商品を選択する。
【００４８】
購入受付工程Ｓ３では、購入受付部３０が、選択工程Ｓ２で選択された販売商品を、指定された配送希望日までに指定された受取場所に配送可能な販売商品として出力する。その後、購入受付部３０は、出力した販売商品の中のいずれかを購入する入力を受付けることができる。
【００４９】
以上説明した本実施形態の商品情報提供装置１は、商品の「配送希望日」及び「受取場所」を指定する入力を受付けると、予め登録された複数の販売商品の中から、指定された配送希望日までに指定された受取場所に配送可能な販売商品を選択する。そして、選択した販売商品を、指定された配送希望日までに指定された受取場所に配送可能な販売商品として出力する。
【００５０】
このような本実施形態によれば、買物客は、指定した配送希望日までに指定した受取場所に配送可能な販売商品を容易に識別し、その販売商品を選択的に検討することができる。結果、購入商品選択作業の効率が向上する。
【００５１】
＜第２の実施形態＞
本実施形態の商品情報提供装置１は、現在の配送ルートの状況を考慮して、指定された配送希望日までに指定された受取場所に配送可能な販売商品を選択する機能を有する点で、第１の実施形態の商品情報提供装置１と異なる。
【００５２】
図３に、本実施形態の商品情報提供装置１の機能ブロック図の一例を示す。図示するように、商品情報提供装置１は、受取情報受付部１０と、選択部２０と、購入受付部３０とを有する。受取情報受付部１０及び購入受付部３０の構成は、第１の実施形態と同様である。
【００５３】
図５に、選択部２０の機能ブロック図の一例を示す。図示するように、選択部２０は、商品情報記憶部２１と、商品選択部２２とを有する。
【００５４】
商品選択部２２は、現在の配送ルートの状況を考慮して、指定された配送希望日までに指定された受取場所に配送可能な販売商品を選択する。
【００５５】
商品選択部２２は、配送ルートに、事故、渋滞、欠航等の問題が発生している場合、問題が発生していない場合よりも、「販売商品を指定された受取場所に配送するために要する時間（例：日数）」を多目に算出するよう構成される。そして、商品選択部２２は、このように算出した「販売商品を指定された受取場所に配送するために要する時間（例：日数）」に基づき、指定された配送希望日までに指定された受取場所に配送可能な販売商品を選択する。
【００５６】
以下、現在の配送ルートの状況を考慮した算出の一例を説明するが、これに限定されない。
【００５７】
例えば、商品情報記憶部２１には、図９に示すような遅延情報が記憶されていてもよい。商品情報記憶部２１のその他の構成は、第１の実施形態と同様である。
【００５８】
図９に示す遅延情報は、販売商品各々に、日数（プラス日数）を対応付けている。図９の販売商品ＩＤ「００００００１」の例のように、地域ごとに日数（プラス日数）が登録されてもよい。なお、販売商品をグループ化し、各グループに対応付けて、図９に示すような遅延情報を商品情報記憶部２１に記憶してもよい。例えば、在庫場所が同じである販売商品どうしを同じグループに含めてもよい。
【００５９】
商品選択部２２は、第１の実施形態で説明した配送情報（例：図７）を利用した方法を用いて算出した「販売商品を指定された受取場所に配送するために要する時間（例：日数）」に、図９に示すプラス日数（受取場所に対応するプラス日数）を加えた日数を、「販売商品を指定された受取場所に配送するために要する時間（例：日数）」として算出する。
【００６０】
すなわち、図９に示すプラス日数は、現在の配送ルートの状況に応じて決定される値であり、問題が発生していない場合は「０」が決定され、問題が発生している場合は、その内容に応じた値が決定される。
【００６１】
図９に示す遅延情報は、随時更新可能である。例えば、オペレータが、最新の配送ルートの状況に応じてプラス日数の値を決定し、更新する。
【００６２】
以上説明した本実施形態によれば、第１の実施形態と同様な作用効果が実現される。
【００６３】
また、本実施形態によれば、現在の配送ルートの状況を考慮して、指定された配送希望日までに指定された受取場所に配送可能な販売商品を選択することができる。
【００６４】
具体的には、事故、渋滞、欠航等の問題が発生している場合、販売商品を指定された受取場所に配送するために要する時間（例：日数）を多目に算出し、その算出結果に基づき上記選択を行うことができる。このため、事故、渋滞、欠航等の問題のため指定通りに商品を配送できない、という不都合の発生を効果的に回避できる。結果、サービスの信頼性が向上する。
【００６５】
＜第３の実施形態＞
本実施形態の商品情報提供装置１は、各ユーザ（買物客）の移動履歴を示す移動履歴情報を取得し、当該移動履歴情報に基づき、各買物客に向けて出力する販売商品を選択する機能を有する点で、第１及び第２の実施形態の商品情報提供装置１と異なる。
【００６６】
図１０に、本実施形態の商品情報提供装置１の機能ブロック図の一例を示す。図示するように、商品情報提供装置１は、受取情報受付部１０と、選択部２０と、購入受付部３０と、ユーザ識別情報受付部４０と、移動履歴情報取得部５０とを有する。受取情報受付部１０及び購入受付部３０の構成は、第１及び第２の実施形態と同様である。
【００６７】
ユーザ識別情報受付部４０は、複数のユーザ（買物客）各々を識別するユーザ識別情報の入力を受付ける。買物客は、所定の端末装置２を操作して、自分に付与されたユーザ識別情報を入力し、商品情報提供装置１に送信させる。入力手段は設計的事項であり、あらゆる技術を採用できる。
【００６８】
移動履歴情報取得部５０は、各ユーザの移動履歴情報をユーザ識別情報に対応付けて記憶する移動履歴情報記憶部から、ユーザ識別情報受付部４０が受付けたユーザ識別情報に対応する移動履歴情報を取得する。移動履歴情報は、日付と、訪問場所を特定する情報とが対応付けられた情報である。
【００６９】
図１１に、移動履歴情報記憶部が記憶する移動履歴情報の一例を模式的に示す。図示する移動履歴情報は、一の買物客（ユーザ識別情報）に対応付けられた移動履歴情報である。図示する移動履歴情報は、日付に、当該買物客が入場した駅名及び出場した駅名を対応付けた情報である。
【００７０】
各買物客は、少なくとも自身のユーザ識別情報を記憶した可搬型記憶装置を所持する。可搬型記憶装置は、例えば、携帯電話、スマートフォン、ＩＣカード、ＩＣタグ等が考えられるが、これらに限定されない。例えば、本実施形態のサービスの利用を希望する買物客は、所定の管理者に対して自身の属性情報（例：氏名、生年月日、性別等）を提供し、登録手続きを行う。これに応じて、ユーザ識別情報が発行され、買物客に提供される。
【００７１】
その後、各買物客は、公共エリアに設置されたリーダと自身の可搬型記憶装置とを通信させる。例えば、可搬型記憶装置には電子マネー情報がさらに記憶されており、買物客は、街中での買い物における支払い時や、バス、電車等の交通機関の利用時等に、可搬型記憶装置とリーダとを通信させる。
【００７２】
すると、リーダは、可搬型記憶装置から取得したユーザ識別情報と、予め記憶している自装置の設置位置を示す情報（例：駅名、店舗名、住所等）とを対応付けて、出力する。出力された情報は、移動履歴情報記憶部に記憶される。
【００７３】
移動履歴情報記憶部は、商品情報提供装置１に備えられてもよいし、商品情報提供装置１と物理的及び／又は論理的に分離した外部装置に備えられてもよい。後者の場合、商品情報提供装置１は、移動履歴情報記憶部を備える外部装置と通信可能に構成される。
【００７４】
移動履歴情報取得部５０は、上述した移動履歴情報記憶部から、ユーザ識別情報受付部４０が受付けたユーザ識別情報に対応する移動履歴情報を取得する。
【００７５】
図１０に戻り、選択部２０は、複数の販売商品各々に関連する場所を示す商品情報に基づき、移動履歴情報において訪問したと示される場所に関連する販売商品を選択する。本実施形態の場合、選択部２０は、指定された配送希望日までに指定された受取場所に配送可能であり、かつ、上記条件を満たす販売商品を選択する。
【００７６】
図６を用いて説明したように、商品情報記憶部２１が記憶する商品情報には、複数の販売商品各々に関連する場所（例：産地）を示す情報を含めることができる。選択部２０は、このような商品情報と、移動履歴情報とに基づき、移動履歴情報において訪問したと示される場所を対応付けられた販売商品を選択する。なお、選択部２０は、商品情報に含まれる関連場所と、移動履歴情報に含まれる場所（訪問場所）との文言のズレ等を補正するための辞書を保持しており、当該辞書を用いて、互いの場所が一致するか否かを判断してもよい。例えば、当該辞書は、駅名や店舗名を、当該駅や店舗が存在する都道府県名に変換する辞書等を備える。
【００７７】
以上説明した本実施形態によれば、第１及び第２の実施形態と同様な作用効果を実現できる。
【００７８】
また、本実施形態によれば、商品情報提供装置１は、各買物客の移動履歴に基づき販売商品を選択し、選択した販売商品の情報を提供することができる。例えば、買物客が旅行者である場合、自己が訪問した場所に関連するお土産の購入を希望する場合がある。本実施形態によれば、このような買物客に対して、真に欲する商品情報を提供することができる。結果、ネットショッピングにおける購入商品選択作業の効率が向上する。
【００７９】
＜第４の実施形態＞
本実施形態の商品情報提供装置１は、各ユーザ（買物客）の移動履歴を示す移動履歴情報を取得し、当該移動履歴情報に基づき、各買物客に向けて出力する販売商品の並べ順等を調整する機能を有する点で、第１及び第２の実施形態の商品情報提供装置１と異なる。
【００８０】
図１２に、本実施形態の商品情報提供装置１の機能ブロック図の一例を示す。図示するように、商品情報提供装置１は、受取情報受付部１０と、選択部２０と、購入受付部３０と、ユーザ識別情報受付部４０と、移動履歴情報取得部５０とを有する。受取情報受付部１０及び選択部２０の構成は、第１及び第２の実施形態と同様である。ユーザ識別情報受付部４０、移動履歴情報取得部５０及び移動履歴情報記憶部の構成は、第３の実施形態と同様である。
【００８１】
購入受付部３０は、複数の販売商品各々に関連する場所を示す商品情報に基づき、選択部２０に選択された販売商品（指定された配送希望日までに指定された受取場所に配送可能な販売商品）の中から、移動履歴情報において訪問したと示される場所に関連する販売商品を特定する。
【００８２】
「複数の販売商品各々に関連する場所を示す商品情報」の詳細は、第３の実施形態で説明した通りである。
【００８３】
また、「商品情報に基づき、移動履歴情報において訪問したと示される場所に関連する販売商品を特定する処理」の詳細は、第３の実施形態で説明した通りである。なお、第３の実施形態では、選択部２０が当該処理を実行したが、本実施形態では購入受付部３０が当該処理を実行する。また、購入受付部３０は、選択部２０に選択された販売商品の中から、移動履歴情報において訪問したと示される場所に関連する販売商品を特定する。
【００８４】
購入受付部３０は、特定した販売商品を他の販売商品よりも優先的に出力する。ここでの「他の販売商品」は、選択部２０に選択された販売商品（指定された配送希望日までに指定された受取場所に配送可能な販売商品）であって、購入受付部３０に特定されなかった販売商品（移動履歴情報において訪問したと示される場所に関連しない販売商品）である。
【００８５】
例えば、購入受付部３０は、複数の販売商品の一覧ページにおいて、特定した販売商品が先に閲覧されるように、複数の販売商品の並び順を決定する。具体的には、特定した販売商品の情報を、他の販売商品の情報よりも、ページのより上方に位置させてもよい。または、特定した販売商品の情報を、他の販売商品の情報よりも、前のページに位置させてもよい。
【００８６】
以上説明した本実施形態によれば、第１及び第２の実施形態と同様な作用効果を実現できる。
【００８７】
また、本実施形態によれば、商品情報提供装置１は、指定された配送希望日までに指定された受取場所に配送可能な販売商品を選択すると、その中から、買物客の移動履歴情報において訪問したと示される場所に関連する販売商品を特定し、特定した販売商品を他の販売商品よりも優先的に出力することができる。
【００８８】
例えば、買物客が旅行者である場合、自己が訪問した場所に関連するお土産の購入を希望する場合がある。本実施形態によれば、このような買物客に対して、訪問した場所に関連する販売商品を優先的に提供することができる。結果、ネットショッピングにおける購入商品選択作業の効率が向上する。
【００８９】
＜第５の実施形態＞
本実施形態の商品情報提供装置１は、各ユーザ（買物客）の旅行スケジュール（訪問予定場所を含む）を取得し、当該旅行スケジュールに基づき、各買物客に向けて出力する販売商品を選択する機能を有する点で、第１乃至第４の実施形態の商品情報提供装置１と異なる。
【００９０】
図１３に、本実施形態の商品情報提供装置１の機能ブロック図の一例を示す。図示するように、商品情報提供装置１は、受取情報受付部１０と、選択部２０と、購入受付部３０と、ユーザ識別情報受付部４０と、旅行情報取得部６０とを有する。さらに、移動履歴情報取得部５０を有してもよい。受取情報受付部１０及び購入受付部３０の構成は、第１乃至第３の実施形態と同様である。ユーザ識別情報受付部４０、移動履歴情報取得部５０及び移動履歴情報記憶部の構成は、第３及び第４の実施形態と同様である。
【００９１】
旅行情報取得部６０は、訪問場所を含む旅行スケジュールをユーザ識別情報に対応付けて記憶する旅行情報記憶部から、ユーザ識別情報受付部４０が受付けたユーザ識別情報に対応する旅行スケジュールを取得する。
【００９２】
図１４に、旅行情報記憶部に記憶される旅行情報の一例を模式的に示す。図示する旅行情報は、一の買物客（ユーザ識別情報）に対応付けられた旅行情報である。
【００９３】
旅行情報は、買物客（旅行者）の属性情報を含む。例えば、買物客を特定する情報（例：氏名、生年月日、性別、国籍、年齢等）や、その他の付加情報（例：宗教、アレルギー等）を含む。また、旅行情報は、買物客の旅行スケジュールを含む。
【００９４】
図１５に、旅行スケジュールの一例を模式的に示す。図示する旅行スケジュールは、海外から国内に旅行に来た買物客のスケジュールであり、入国予定日及び入国場所、宿泊予定日及び宿泊場所、出国予定日及び出国場所等の情報が含まれる。図示するように、訪問予定場所各々の住所が含まれてもよい。
【００９５】
図１６に、旅行スケジュールの他の一例を模式的に示す。図示する旅行スケジュールは、図１５に示す旅行スケジュールに、訪問予定の観光地、及び、訪問予定日が付加されている。
【００９６】
例えば、旅行を計画中の買物客は、旅行代理店を訪問し、所望の旅行スケジュールのプランに申し込む。この際、買物客は、自身の属性情報を旅行代理店に提供する。旅行代理店は、買物客の属性情報及び申し込まれたプランの旅行スケジュールを対応付けて登録する。このようにして登録された情報が、旅行情報記憶部に記憶される。なお、買物客を特定する情報（例：氏名、生年月日、性別等）に基づき、上述した旅行情報と、例えば第３の実施形態で説明した流れで発行されるユーザ識別情報とを対応付けることができる。
【００９７】
旅行情報記憶部は、商品情報提供装置１に備えられてもよいし、商品情報提供装置１と物理的及び／又は論理的に分離した外部装置に備えられてもよい。後者の場合、商品情報提供装置１は、旅行情報記憶部を備える外部装置と通信可能に構成される。
【００９８】
図１３に戻り、選択部２０は、複数の販売商品各々に関連する場所を示す商品情報に基づき、旅行スケジュールに含まれる訪問予定場所に関連する販売商品を選択する。本実施形態の場合、選択部２０は、指定された配送希望日までに指定された受取場所に配送可能であり、かつ、上記条件を満たす販売商品を選択する。
【００９９】
図６を用いて説明したように、商品情報記憶部２１が記憶する商品情報には、複数の販売商品各々に関連する場所（例：産地）を示す情報を含めることができる。選択部２０は、このような商品情報と、旅行スケジュールとに基づき、旅行スケジュールに含まれる訪問予定場所を対応付けられた販売商品を選択する。なお、選択部２０は、商品情報に含まれる関連場所と、旅行スケジュールに含まれる訪問予定場所との文言のズレ等を補正するための辞書を保持しており、当該辞書を用いて、互いの場所が一致するか否かを判断してもよい。
【０１００】
以上説明した本実施形態によれば、第１及び第２の実施形態と同様な作用効果を実現できる。
【０１０１】
また、本実施形態によれば、商品情報提供装置１は、各買物客の旅行スケジュールに基づき販売商品を選択し、選択した販売商品の情報を提供することができる。例えば、買物客が旅行者である場合、自己が訪問した場所及び訪問する場所に関連するお土産の購入を希望する場合がある。本実施形態によれば、このような買物客に対して、真に欲する商品情報を提供することができる。結果、ネットショッピングにおける購入商品選択作業の効率が向上する。
【０１０２】
＜第６の実施形態＞
本実施形態の商品情報提供装置１は、各ユーザ（買物客）の旅行スケジュールを取得し、当該旅行スケジュールに基づき、各買物客に向けて出力する販売商品の並べ順等を調整する機能を有する点で、第１乃至第５の実施形態の商品情報提供装置１と異なる。
【０１０３】
図１７に、本実施形態の商品情報提供装置１の機能ブロック図の一例を示す。図示するように、商品情報提供装置１は、受取情報受付部１０と、選択部２０と、購入受付部３０と、ユーザ識別情報受付部４０と、旅行情報取得部６０とを有する。移動履歴情報取得部５０をさらに有してもよい。受取情報受付部１０及び選択部２０の構成は、第１、第２及び第４の実施形態と同様である。ユーザ識別情報受付部４０、移動履歴情報取得部５０及び移動履歴情報記憶部の構成は、第３乃至第５の実施形態と同様である。旅行情報取得部６０及び旅行情報記憶部の構成は、第５の実施形態と同様である。
【０１０４】
購入受付部３０は、複数の販売商品各々に関連する場所を示す商品情報に基づき、選択部２０に選択された販売商品の中から、旅行スケジュールに含まれる訪問予定場所に関連する販売商品を特定する。
【０１０５】
「複数の販売商品各々に関連する場所を示す商品情報」の詳細は、第３の実施形態で説明した通りである。
【０１０６】
また、「商品情報に基づき、旅行スケジュールに含まれる訪問予定場所に関連する販売商品を特定する処理」の詳細は、第５の実施形態で説明した通りである。なお、第５の実施形態では、選択部２０が当該処理を実行したが、本実施形態では購入受付部３０が当該処理を実行する。そして、購入受付部３０は、選択部２０に選択された販売商品の中から、旅行スケジュールに含まれる訪問予定場所に関連する販売商品を特定する。
【０１０７】
そして、購入受付部３０は、特定した販売商品を他の販売商品よりも優先的に出力する。「特定した販売商品を他の販売商品よりも優先的に出力する処理」の詳細は、第４の実施形態で説明した通りである。また、「他の販売商品」の概念は、第４の実施形態で説明した通りである。
【０１０８】
以上説明した本実施形態によれば、第１及び第２の実施形態と同様な作用効果を実現できる。
【０１０９】
また、本実施形態によれば、商品情報提供装置１は、指定された配送希望日までに指定された受取場所に配送可能な販売商品を選択すると、その中から、買物客の旅行スケジュールに含まれる訪問予定場所に関連する販売商品を特定し、特定した販売商品を他の販売商品よりも優先的に出力することができる。
【０１１０】
例えば、買物客が旅行者である場合、自己が訪問した場所及び訪問する場所に関連するお土産の購入を希望する場合がある。本実施形態によれば、このような買物客に対して、訪問した場所及び訪問する場所に関連する販売商品を優先的に提供することができる。結果、ネットショッピングにおける購入商品選択作業の効率が向上する。
【０１１１】
＜第７の実施形態＞
本実施形態の商品情報提供装置１は、各ユーザ（買物客）の旅行スケジュールに基づき、指定可能な受取場所や配送希望日を提供する機能を有する点で、第１乃至第６の実施形態の商品情報提供装置１と異なる。
【０１１２】
図１８に、本実施形態の商品情報提供装置１の機能ブロック図の一例を示す。図示するように、商品情報提供装置１は、受取情報受付部１０と、選択部２０と、購入受付部３０と、ユーザ識別情報受付部４０と、旅行情報取得部６０とを有する。移動履歴情報取得部５０をさらに有してもよい。選択部２０、購入受付部３０、ユーザ識別情報受付部４０、移動履歴情報取得部５０、旅行情報取得部６０、移動履歴情報記憶部及び旅行情報記憶部の構成は、第１乃至第６の実施形態と同様である。
【０１１３】
受取情報受付部１０は、旅行スケジュールに含まれる出国場所を、指定可能な受取場所として表示する。例えば、受取情報受付部１０は、ドロップダウンリスト、ラジオボタン等のＧＵＩ部品を用いて、指定可能な１つ又は複数の受取場所を一覧表示し、その中から１つを指定（選択）する入力を受付ける。そして、受取情報受付部１０は、この一覧表示の中に、旅行スケジュールに含まれる出国場所を含める。
【０１１４】
受取情報受付部１０は、その他、旅行スケジュールに含まれる宿泊場所を、指定可能な受取場所として表示してもよい。
【０１１５】
例えば、買物客は、端末装置２を操作し、自身のユーザ識別情報を用いて商品情報提供装置１にログインする。その後、商品情報提供装置１の受取情報受付部１０は、ログイン時に入力されたユーザ識別情報に対応する旅行スケジュールを、旅行情報記憶部から取得する。そして、受取情報受付部１０は、取得した旅行スケジュールの中から、出国場所、宿泊予定場所等の情報を抽出する。
【０１１６】
その後、受取情報受付部１０は、図１９に示すようなウェブページ（受取情報入力受付画面）を作成し、端末装置２に提供する。図１９に示す受取情報入力受付画面においては、ログインしている買物客の旅行スケジュールに含まれる出国場所（空港）、及び、宿泊予定場所が、指定可能な受取場所として一覧表示されている。
【０１１７】
なお、旅行スケジュールに含まれる宿泊場所であっても、宿泊予定日が現在の日付より前の宿泊場所には、その後、訪問しない。このため、受取情報受付部１０は、このような宿泊場所を指定可能な受取場所として表示しなくてもよい。すなわち、同じ旅行スケジュールに基づいても、現在の日付に応じて、指定可能な受取場所として出力される内容が異なってもよい。
【０１１８】
一例を示す。図１９及び図２０は、同じ旅行スケジュール（図１５の旅行スケジュール）に基づいて提供される受取情報入力受付画面である。図１９は、２０１５年１１月１日に端末装置２に提供される画面であり、図２０は、２０１５年１１月４日に端末装置２に提供される画面である。見比べると、宿泊予定日が２０１５年１１月３日である○○旅館（図１５参照）が、２０１５年１１月１日時点では指定可能な受取場所として表示されているが、２０１５年１１月４日時点では指定可能な受取場所として表示されていないことが分かる。
【０１１９】
また、受取情報受付部１０は、一の訪問予定場所を受取場所とする指定を受付けた場合、現在の日付を基準に特定される所定日以降（例：翌日以降、翌々日以降）、かつ、当該訪問予定場所の訪問予定日以前を、指定可能な配送希望日として表示してもよい。
【０１２０】
例えば、受取情報受付部１０は、ドロップダウンリスト、ラジオボタン等のＧＵＩ部品を用いて、指定可能な１つ又は複数の配送希望日を一覧表示し、その中から１つを指定（選択）する入力を受付ける。そして、受取情報受付部１０は、上述した指定可能な配送希望日を一覧表示する。
【０１２１】
受取情報受付部１０は、図２１に示すように、出国場所を受取場所とする指定を受付けた場合、現在の日付を基準に特定される所定日以降、かつ、出国予定日以前を、指定可能な配送希望日として表示してもよい。当該例では、現在の日付（２０１５年１１月１日）の翌日（２０１５年１１月２日）以降、かつ、出国場所の訪問予定日（２０１５年１１月７日）以前を、指定可能な配送希望日として表示している。
【０１２２】
その他、受取情報受付部１０は、図２２に示すように、一の宿泊場所を受取場所とする指定を受付けた場合、現在の日付を基準に特定される所定日以降、かつ、宿泊予定日以前を、指定可能な配送希望日として表示してもよい。当該例では、現在の日付（２０１５年１１月１日）の翌日（２０１５年１１月２日）以降、かつ、指定された宿泊場所の宿泊予定日（２０１５年１１月３日）以前を、指定可能な配送希望日として表示している。
【０１２３】
また、受取情報受付部１０は、一の配送希望日の指定を受付けた場合、旅行スケジュールに含まれる宿泊場所及び出国場所であって、当該配送希望日以降に訪問予定の宿泊場所及び出国場所を、指定可能な受取場所として表示してもよい。
【０１２４】
例えば、受取情報受付部１０は、ドロップダウンリスト、ラジオボタン等のＧＵＩ部品を用いて、指定可能な１つ又は複数の受取場所を一覧表示し、その中から１つを指定（選択）する入力を受付ける。そして、受取情報受付部１０は、上述した指定可能な受取場所を一覧表示する。
【０１２５】
受取情報受付部１０は、図２３に示すように、一の配送希望日の指定を受付けた場合、旅行スケジュールに含まれる宿泊場所及び出国場所であって、指定された配送希望日以降に訪問予定の宿泊場所及び出国場所を、指定可能な受取場所として表示する。
【０１２６】
以上説明した本実施形態によれば、第１乃至第６の実施形態と同様な作用効果を実現できる。
【０１２７】
また、本実施形態によれば、商品情報提供装置１は、各買物客の旅行スケジュールに基づき、受取場所及び配送希望日を指定する入力画面を各買物客用にカスタマイズすることができる。具体的には、旅行スケジュールから訪問予定場所を抽出し、抽出した場所を指定可能な受取場所として提供できる。また、各訪問予定場所の訪問予定日と、現在の日付との関係から、指定可能な受取場所や配送希望日を特定し、当該情報を提供することができる。
【０１２８】
このような本実施形態によれば、買物客は、旅行スケジュールの制約上、自己が指定できる受取場所及び配送希望日を容易に把握することができる。そして、その中から所望の受取場所や配送希望日を選択することができる。結果、ネットショッピングにおける作業の効率が向上する。
【０１２９】
また、買物客は、複数の受取場所の中から一を選択する入力を行えばよく、受取場所の住所を直接入力する必要がない。このため、作業効率が向上する。
【０１３０】
＜実施例＞
本実施形態の一実施例を示す。なお、本実施形態は当該実施例に限定されない。
【０１３１】
本実施例における商品情報提供装置１は、海外から国内にきた旅行者（買物客）をメインターゲットとし、第１乃至第７の実施形態で説明したネットショッピングサービスを提供する。以下、図２４乃至図２６のシーケンス図を用いて、処理の流れを説明する。
【０１３２】
最初に、図２４の流れを説明する。図示する連携基盤は、商品情報提供装置１であってもよいし、商品情報提供装置１と物理的及び／又は論理的に分かれたシステムであってもよい。
【０１３３】
まず、海外から国内への旅行を希望する旅行者は、旅行代理店を訪問し、所望の旅行スケジュールのプランに申し込む（Ｓ１０）。この際、旅行者は、自身の属性情報（例：氏名、生年月日、性別、宗教、アレルギー等）を旅行代理店に提供する。
【０１３４】
旅行代理店は、旅行者の属性情報及び申し込まれたプランの旅行スケジュールを対応付けて自装置に登録する。また、旅行代理店は、当該情報（旅行情報）を、連携基盤に提供する（Ｓ１１）。連携基盤は、旅行代理店から取得した旅行情報を旅行情報記憶部７０に登録する（Ｓ１２）。
【０１３５】
また、旅行者は、ＩＣカード管理者に対して自身の情報（例：氏名、生年月日、性別等）を提供し、国内旅行中に使用するＩＣカードの申し込みを行う（Ｓ１３）。すると、ＩＣカード管理者は、新たなユーザ識別情報を発行する（Ｓ１４）。そして、新たに発行したユーザ識別情報と、旅行者の情報（例：氏名、生年月日、性別等）とを対応付けて、移動履歴情報記憶部８０に登録する（Ｓ１５）。また、Ｓ１４で発行されたユーザ識別情報を記憶したＩＣカードが、旅行者に提供される（Ｓ１６）。
【０１３６】
当該ＩＣカードは電子マネー情報を記憶可能であり、旅行者は当該ＩＣカードに所望の金額をチャージすることができる。そして、旅行者は、国内旅行中、街中での買い物時や、バス、電車等の交通機関の利用時等に、ＩＣカードとリーダとを通信させ、支払いを行うことができる。
【０１３７】
すると、リーダは、ＩＣカードから取得したユーザ識別情報と、予め記憶している自装置の設置位置を示す情報（例：駅名、店舗名、住所等）とを対応付けて、出力する。出力された情報は、移動履歴情報記憶部８０に記憶される。
【０１３８】
ＩＣカード管理者は、移動履歴情報記憶部８０に登録されているユーザ情報（ユーザ識別情報と、旅行者の情報（例：氏名、生年月日、性別等））を、連携基盤に提供する（Ｓ１７）。連携基盤は、ＩＣカード管理者から取得したユーザ情報をユーザ情報記憶部９０に登録する（Ｓ１８）。そして、連携基盤は、旅行者の情報（例：氏名、生年月日、性別等）に基づき、旅行情報記憶部７０に記憶されている情報と、ユーザ情報記憶部９０に記憶されている情報とを紐付ける。これにより、旅行情報記憶部７０に記憶されている旅行情報と、Ｓ１４で発行されたユーザ識別情報とを対応付けることができる。
【０１３９】
次に、図２５の流れを説明する。商品情報提供装置１が提供するネットショッピングサービスにおいて商品の販売を希望する販売者は、商品情報や配送情報を商品情報提供装置１に提供する（Ｓ２０）。商品情報提供装置１は、販売者から取得した商品情報及び配送情報を商品情報記憶部２１に登録する（Ｓ２１）。
【０１４０】
なお、図示しないが、販売者は、第２の実施形態で説明した遅延情報（図９参照）を、さらに、商品情報提供装置１に提供してもよい。そして、商品情報提供装置１は、販売者から取得した遅延情報を商品情報記憶部２１に登録してもよい。
【０１４１】
次に、図２６の流れを説明する。図２４の手続きを行った旅行者は、その後、任意の端末装置２を操作し、自身に発行されたユーザ識別情報を用いて、商品情報提供装置１にログインする（Ｓ３０）。
【０１４２】
例えば、旅行者は、自身が所持するＰＣ、タブレット、スマートフォン、携帯電話等の端末装置２を操作してもよい。その他、旅館、ホテル、観光場所、駅、空港等の公共エリアに、ネットショッピングのための専用端末（端末装置２）が備えられていてもよい。そして、旅行者は、当該専用端末を操作してもよい。専用端末は、ＰＣ、タブレット、スマートフォン等であってもよいし、その他の装置であってもよい。
【０１４３】
商品情報提供装置１は、Ｓ３０で取得したユーザ識別情報に対応する旅行情報（旅行スケジュール、旅行者の属性情報等を含む）を、旅行情報記憶部７０（図２４参照）から取得する（Ｓ３１）。そして、商品情報提供装置１は、取得した旅行スケジュールに基づき、当該旅行者用にカスタマイズした受取情報入力受付画面（ウェブページ）を作成し（第７の実施形態参照）、旅行者の端末装置２に送信する（Ｓ３２）。受取情報入力受付画面は、配送希望日及び受取場所の指定を受付ける画面である。
【０１４４】
旅行者は、端末装置２を操作し、受取情報入力受付画面を介して、配送希望日及び受取場所を指定する。そして、指定された配送希望日及び受取場所が、端末装置２から商品情報提供装置１に送信される（Ｓ３３）。
【０１４５】
その後、商品情報提供装置１は、商品情報記憶部２１（図２５参照）に登録されている複数の商品情報の中から、Ｓ３３で指定された配送希望日までに指定された受取場所に配送可能な販売商品を選択する（Ｓ３４）。
【０１４６】
なお、Ｓ３４で、商品情報提供装置１は、第２、第３及び第５の実施形態で説明したように、指定された配送希望日までに指定された受取場所に配送可能であり、かつ、所定の条件を満たす販売商品を選択してもよい。
【０１４７】
例えば、商品情報提供装置１は、指定された配送希望日までに指定された受取場所に配送可能であり、かつ、Ｓ３１で取得した旅行スケジュールに含まれる訪問予定場所に関連する販売商品を選択してもよい。
【０１４８】
その他、商品情報提供装置１は、Ｓ３０で取得したユーザ識別情報に対応する移動履歴情報を、移動履歴情報記憶部８０（図２４参照）から取得してもよい。そして、商品情報提供装置１は、指定された配送希望日までに指定された受取場所に配送可能であり、かつ、取得した移動履歴情報において訪問したと示される場所に関連する販売商品を選択してもよい。
【０１４９】
その他、商品情報提供装置１は、指定された配送希望日までに指定された受取場所に配送可能であり、かつ、旅行者の趣向に合った販売商品を選択してもよい。例えば、Ｓ３１で取得する旅行情報には、旅行者の属性情報、例えば宗教やアレルギー等が含まれてもよい。そして、商品情報提供装置１は、当該属性情報に基づき、所定のアルゴリズムで、旅行者の趣向に合った販売商品を選択してもよい。
【０１５０】
その後、商品情報提供装置１は、Ｓ３４で選択した販売商品を、指定された配送希望日までに指定された受取場所に配送可能な販売商品として出力する。例えば、商品情報提供装置１は、Ｓ３４で選択した販売商品を一覧表示した販売商品紹介画面（ウェブページ）を作成し、旅行者の端末装置２に送信する（Ｓ３５）。
【０１５１】
なお、販売商品紹介画面（ウェブページ）の作成において、第４及び第６の実施形態で説明した技術を利用してもよい。例えば、移動履歴情報において訪問したと示される場所に関連する販売商品を特定し、特定した販売商品を他の前記販売商品よりも優先的に出力してもよい。また、旅行スケジュールに含まれる訪問予定場所に関連する販売商品を特定し、特定した販売商品を他の販売商品よりも優先的に出力してもよい。
【０１５２】
その後、旅行者は、販売商品紹介画面を閲覧し、購入する販売商品を検討する。そして、旅行者は、端末装置２を操作し、購入手続き（商品決定、決済など）を行う（Ｓ３６）。
【０１５３】
商品情報提供装置１は、Ｓ３６での入力内容に基づき、決済処理を行う（Ｓ３７）。そして、商品情報提供装置１は、購入ＩＤなどと共に、購入手続きが完了したことを示すメッセージを旅行者の端末装置２に送信する（Ｓ３８）。
【０１５４】
また、商品情報提供装置１は、購入された販売商品の販売者に対し、購入者情報、配送希望日、受取場所、購入商品等を含む販売情報の通知を行う（Ｓ３９）。すると、販売者は、配送者に対して、配送希望日及び受取場所を指定して配送依頼を送る（Ｓ４０）。
【０１５５】
配送者は、Ｓ４０の配送依頼に従い、所定の販売商品を、指定された配送希望日に指定された受取場所に配送する（Ｓ４１）。受取場所は、空港、宿泊場所等である。
【０１５６】
その後、旅行者は、指定した受取場所で自身を確認する情報を提示し、購入した商品の受け取りを要求する（Ｓ４２）。すると、本人確認の後、所定の商品が旅行者に提供される（Ｓ４３）。
【０１５７】
以上説明した本実施例によれば、第１乃至第７の実施形態で説明した作用効果を実現できる。
【０１５８】
また、海外からの旅行者は、任意の端末装置２を操作してネットショッピングを行うと、国内旅行中に、所定の受取場所（出国場所、宿泊場所等）で商品を受け取ることができる。このため、海外からの旅行者の買物の自由度が増す。
【０１５９】
また、上記メリットにより、当該サービスを受けることができる旅行の申し込みや、海外からの旅行者による上記ＩＣカードの申し込みの増加が期待される。結果、旅行代理店やＩＣカード管理者の売上増等の効果が期待される。
【０１６０】
また、販売者は、海外からの旅行者に対する販売の機会が増し、売上増等の効果が期待される。特に、旅行スケジュールや移動履歴情報を用いて、旅行者が訪問した場所や訪問予定の場所に関連する販売商品の情報を旅行者に提供することで、販売商品の売上増等の効果がより期待される。
【０１６１】
さらに、Ｓ４１及びＳ４２の手続きを行った受取場所（宿泊場所等）に対してインセンティブを与える等の工夫により、受取場所側もメリットを得られる。また、端末装置２を設置している公共エリア（宿泊場所等）に対してインセンティブを与える等の工夫により、当該対象もメリットを得られる。
【０１６２】
以下、参考形態の例を付記する。
１．  商品の配送希望日、及び、受取場所を指定する入力を受付ける受取情報受付手段と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段と、
選択された前記販売商品を、指定された配送希望日までに指定された受取場所に配送可能な前記販売商品として出力する購入受付手段と、
を有する商品情報提供装置。
２．  １に記載の商品情報提供装置において、
前記購入受付手段は、出力した前記販売商品の中のいずれかを購入する入力を受付ける商品情報提供装置。
３．  １又は２に記載の商品情報提供装置において、
前記選択手段は、現在の配送ルートの状況を考慮して、指定された配送希望日までに指定された受取場所に配送可能な前記販売商品を選択する商品情報提供装置。
４．  １から３のいずれかに記載の商品情報提供装置において、
複数のユーザ各々を識別するユーザ識別情報の入力を受付けるユーザ識別情報受付手段と、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段と、
をさらに有し、
前記選択手段は、複数の前記販売商品各々に関連する場所を示す商品情報に基づき、前記移動履歴情報において訪問したと示される場所に関連する前記販売商品を選択する商品情報提供装置。
５．  １から３のいずれかに記載の商品情報提供装置において、
複数のユーザ各々を識別するユーザ識別情報の入力を受付けるユーザ識別情報受付手段と、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段と、
をさらに有し、
前記購入受付手段は、複数の前記販売商品各々に関連する場所を示す商品情報に基づき、前記選択手段に選択された前記販売商品の中から、前記移動履歴情報において訪問したと示される場所に関連する前記販売商品を特定し、特定した前記販売商品を他の前記販売商品よりも優先的に出力する商品情報提供装置。
６．  １から５のいずれかに記載の商品情報提供装置において、
複数のユーザ各々を識別するユーザ識別情報の入力を受付けるユーザ識別情報受付手段と、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記選択手段は、複数の前記販売商品各々に関連する場所を示す商品情報に基づき、前記旅行スケジュールに含まれる訪問予定場所に関連する前記販売商品を選択する商品情報提供装置。
７．  １から５のいずれかに記載の商品情報提供装置において、
複数のユーザ各々を識別するユーザ識別情報の入力を受付けるユーザ識別情報受付手段と、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記購入受付手段は、複数の前記販売商品各々に関連する場所を示す商品情報に基づき、前記選択手段に選択された前記販売商品の中から、前記旅行スケジュールに含まれる訪問予定場所に関連する前記販売商品を特定し、特定した前記販売商品を他の前記販売商品よりも優先的に出力する商品情報提供装置。
８．  １から７のいずれかに記載の商品情報提供装置において、
複数のユーザ各々を識別するユーザ識別情報の入力を受付けるユーザ識別情報受付手段と、
出国予定日及び出国場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段と、
をさらに有し、
前記受取情報受付手段は、前記旅行スケジュールに含まれる出国場所を、指定可能な受取場所として表示する商品情報提供装置。
９．  ８に記載の商品情報提供装置において、
前記受取情報受付手段は、前記出国場所を受取場所とする指定を受付けた場合、現在の日付を基準に特定される所定日以降、かつ、前記出国予定日以前を、指定可能な配送希望日として表示する商品情報提供装置。
１０．  ８又は９に記載の商品情報提供装置において、
前記旅行スケジュールは、さらに、宿泊予定日及び宿泊場所を含み、
前記受取情報受付手段は、前記旅行スケジュールに含まれる宿泊場所を、さらに、指定可能な受取場所として表示する商品情報提供装置。
１１．  １０に記載の商品情報提供装置において、
前記受取情報受付手段は、前記旅行スケジュールに含まれる宿泊場所であって、宿泊予定日が現在の日付より前の宿泊場所を、指定可能な受取場所として表示しない商品情報提供装置。
１２．  １０又は１１に記載の商品情報提供装置において、
前記受取情報受付手段は、一の宿泊場所を受取場所とする指定を受付けた場合、現在の日付を基準に特定される所定日以降、かつ、宿泊予定日以前を、指定可能な配送希望日として表示する商品情報提供装置。
１３．  ８乃至１２のいずれかに記載の商品情報提供装置において、
前記受取情報受付手段は、一の配送希望日の指定を受付けた場合、前記旅行スケジュールに含まれる宿泊場所及び出国場所であって、当該配送希望日以降に訪問予定の宿泊場所及び出国場所を、指定可能な受取場所として表示する商品情報提供装置。
１４．  コンピュータが、
商品の配送希望日、及び、受取場所を指定する入力を受付ける受取情報受付工程と、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択工程と、
選択された前記販売商品を、指定された配送希望日までに指定された受取場所に配送可能な前記販売商品として出力する購入受付工程と、
を実行する商品情報提供方法。
１４−２．  １４に記載の商品情報提供方法において、
前記購入受付工程では、出力した前記販売商品の中のいずれかを購入する入力を受付ける商品情報提供方法。
１４−３．  １４又は１４−２に記載の商品情報提供方法において、
前記選択工程では、現在の配送ルートの状況を考慮して、指定された配送希望日までに指定された受取場所に配送可能な前記販売商品を選択する商品情報提供方法。
１４−４．  １４から１４−３のいずれかに記載の商品情報提供方法において、
前記コンピュータが、
複数のユーザ各々を識別するユーザ識別情報の入力を受付けるユーザ識別情報受付工程と、
各ユーザの移動履歴情報を前記ユーザ識別情報に対応付けて記憶する移動履歴情報記憶手段から、前記ユーザ識別情報受付工程で受付けた前記ユーザ識別情報に対応する前記移動履歴情報を取得する移動履歴取得工程と、
をさらに実行し、
前記選択工程では、複数の前記販売商品各々に関連する場所を示す商品情報に基づき、前記移動履歴情報において訪問したと示される場所に関連する前記販売商品を選択する商品情報提供方法。
１４−５．  １４から１４−３のいずれかに記載の商品情報提供方法において、
前記コンピュータが、
複数のユーザ各々を識別するユーザ識別情報の入力を受付けるユーザ識別情報受付工程と、
各ユーザの移動履歴情報を前記ユーザ識別情報に対応付けて記憶する移動履歴情報記憶手段から、前記ユーザ識別情報受付工程で受付けた前記ユーザ識別情報に対応する前記移動履歴情報を取得する移動履歴取得工程と、
をさらに実行し、
前記購入受付工程では、複数の前記販売商品各々に関連する場所を示す商品情報に基づき、前記選択工程で選択された前記販売商品の中から、前記移動履歴情報において訪問したと示される場所に関連する前記販売商品を特定し、特定した前記販売商品を他の前記販売商品よりも優先的に出力する商品情報提供方法。
１４−６．  １４から１４−５のいずれかに記載の商品情報提供方法において、
前記コンピュータが、
複数のユーザ各々を識別するユーザ識別情報の入力を受付けるユーザ識別情報受付工程と、
訪問予定場所を含む旅行スケジュールを前記ユーザ識別情報に対応付けて記憶する旅行情報記憶手段から、前記ユーザ識別情報受付工程で受付けた前記ユーザ識別情報に対応する前記旅行スケジュールを取得する旅行情報取得工程と、
をさらに実行し、
前記選択工程では、複数の前記販売商品各々に関連する場所を示す商品情報に基づき、前記旅行スケジュールに含まれる訪問予定場所に関連する前記販売商品を選択する商品情報提供方法。
１４−７．  １４から１４−５のいずれかに記載の商品情報提供方法において、
前記コンピュータが、
複数のユーザ各々を識別するユーザ識別情報の入力を受付けるユーザ識別情報受付工程と、
訪問予定場所を含む旅行スケジュールを前記ユーザ識別情報に対応付けて記憶する旅行情報記憶手段から、前記ユーザ識別情報受付工程で受付けた前記ユーザ識別情報に対応する前記旅行スケジュールを取得する旅行情報取得工程と、
をさらに実行し、
前記購入受付工程では、複数の前記販売商品各々に関連する場所を示す商品情報に基づき、前記選択工程で選択された前記販売商品の中から、前記旅行スケジュールに含まれる訪問予定場所に関連する前記販売商品を特定し、特定した前記販売商品を他の前記販売商品よりも優先的に出力する商品情報提供方法。
１４−８．  １４から１４−７のいずれかに記載の商品情報提供方法において、
前記コンピュータが、
複数のユーザ各々を識別するユーザ識別情報の入力を受付けるユーザ識別情報受付工程と、
出国予定日及び出国場所を含む旅行スケジュールを前記ユーザ識別情報に対応付けて記憶する旅行情報記憶手段から、前記ユーザ識別情報受付工程で受付けた前記ユーザ識別情報に対応する前記旅行スケジュールを取得する旅行情報取得工程と、
をさらに実行し、
前記受取情報受付工程では、前記旅行スケジュールに含まれる出国場所を、指定可能な受取場所として表示する商品情報提供方法。
１４−９．  １４−８に記載の商品情報提供方法において、
前記受取情報受付工程では、前記出国場所を受取場所とする指定を受付けた場合、現在の日付を基準に特定される所定日以降、かつ、前記出国予定日以前を、指定可能な配送希望日として表示する商品情報提供方法。
１４−１０．  １４−８又は１４−９に記載の商品情報提供方法において、
前記旅行スケジュールは、さらに、宿泊予定日及び宿泊場所を含み、
前記受取情報受付工程では、前記旅行スケジュールに含まれる宿泊場所を、さらに、指定可能な受取場所として表示する商品情報提供方法。
１４−１１．  １４−１０に記載の商品情報提供方法において、
前記受取情報受付工程では、前記旅行スケジュールに含まれる宿泊場所であって、宿泊予定日が現在の日付より前の宿泊場所を、指定可能な受取場所として表示しない商品情報提供方法。
１４−１２．  １４−１０又は１４−１１に記載の商品情報提供方法において、
前記受取情報受付工程では、一の宿泊場所を受取場所とする指定を受付けた場合、現在の日付を基準に特定される所定日以降、かつ、宿泊予定日以前を、指定可能な配送希望日として表示する商品情報提供方法。
１４−１３．  １４−８乃至１４−１２のいずれかに記載の商品情報提供方法において、
前記受取情報受付工程では、一の配送希望日の指定を受付けた場合、前記旅行スケジュールに含まれる宿泊場所及び出国場所であって、当該配送希望日以降に訪問予定の宿泊場所及び出国場所を、指定可能な受取場所として表示する商品情報提供方法。
１５．  コンピュータを、
商品の配送希望日、及び、受取場所を指定する入力を受付ける受取情報受付手段、
複数の販売商品各々を指定された受取場所に配送するために要する時間を特定するための配送情報に基づき、複数の前記販売商品の中から、指定された配送希望日までに指定された受取場所に配送可能な前記販売商品を選択する選択手段、
選択された前記販売商品を、指定された配送希望日までに指定された受取場所に配送可能な前記販売商品として出力する購入受付手段、
として機能させるプログラム。
１５−２．  １５に記載のプログラムにおいて、
前記購入受付手段は、出力した前記販売商品の中のいずれかを購入する入力を受付けるプログラム。
１５−３．  １５又は１５−２に記載のプログラムにおいて、
前記選択手段は、現在の配送ルートの状況を考慮して、指定された配送希望日までに指定された受取場所に配送可能な前記販売商品を選択するプログラム。
１５−４．  １５から１５−３のいずれかに記載のプログラムにおいて、
前記コンピュータを、
複数のユーザ各々を識別するユーザ識別情報の入力を受付けるユーザ識別情報受付手段、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段、
としてさらに機能させ、
前記選択手段は、複数の前記販売商品各々に関連する場所を示す商品情報に基づき、前記移動履歴情報において訪問したと示される場所に関連する前記販売商品を選択するプログラム。
１５−５．  １５から１５−３のいずれかに記載のプログラムにおいて、
前記コンピュータを、
複数のユーザ各々を識別するユーザ識別情報の入力を受付けるユーザ識別情報受付手段、
各ユーザの移動履歴情報を前記ユーザ識別情報に対応付けて記憶する移動履歴情報記憶手段から、前記ユーザ識別情報受付手段が受付けた前記ユーザ識別情報に対応する前記移動履歴情報を取得する移動履歴取得手段、
としてさらに機能させ、
前記購入受付手段は、複数の前記販売商品各々に関連する場所を示す商品情報に基づき、前記選択手段に選択された前記販売商品の中から、前記移動履歴情報において訪問したと示される場所に関連する前記販売商品を特定し、特定した前記販売商品を他の前記販売商品よりも優先的に出力するプログラム。
１５−６．  １５から１５−５のいずれかに記載のプログラムにおいて、
前記コンピュータを、
複数のユーザ各々を識別するユーザ識別情報の入力を受付けるユーザ識別情報受付手段、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段、
としてさらに機能させ、
前記選択手段は、複数の前記販売商品各々に関連する場所を示す商品情報に基づき、前記旅行スケジュールに含まれる訪問予定場所に関連する前記販売商品を選択するプログラム。
１５−７．  １５から１５−５のいずれかに記載のプログラムにおいて、
前記コンピュータを、
複数のユーザ各々を識別するユーザ識別情報の入力を受付けるユーザ識別情報受付手段、
訪問予定場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段、
としてさらに機能させ、
前記購入受付手段は、複数の前記販売商品各々に関連する場所を示す商品情報に基づき、前記選択手段に選択された前記販売商品の中から、前記旅行スケジュールに含まれる訪問予定場所に関連する前記販売商品を特定し、特定した前記販売商品を他の前記販売商品よりも優先的に出力するプログラム。
１５−８．  １５から１５−７のいずれかに記載のプログラムにおいて、
前記コンピュータを、
複数のユーザ各々を識別するユーザ識別情報の入力を受付けるユーザ識別情報受付手段、
出国予定日及び出国場所を含む旅行スケジュールを前記ユーザ識別情報に対応付けて記憶する旅行情報記憶手段から、前記ユーザ識別情報受付手段が受付けた前記ユーザ識別情報に対応する前記旅行スケジュールを取得する旅行情報取得手段、
としてさらに機能させ、
前記受取情報受付手段は、前記旅行スケジュールに含まれる出国場所を、指定可能な受取場所として表示するプログラム。
１５−９．  １５−８に記載のプログラムにおいて、
前記受取情報受付手段は、前記出国場所を受取場所とする指定を受付けた場合、現在の日付を基準に特定される所定日以降、かつ、前記出国予定日以前を、指定可能な配送希望日として表示するプログラム。
１５−１０．  １５−８又は１５−９に記載のプログラムにおいて、
前記旅行スケジュールは、さらに、宿泊予定日及び宿泊場所を含み、
前記受取情報受付手段は、前記旅行スケジュールに含まれる宿泊場所を、さらに、指定可能な受取場所として表示するプログラム。
１５−１１．  １５−１０に記載のプログラムにおいて、
前記受取情報受付手段は、前記旅行スケジュールに含まれる宿泊場所であって、宿泊予定日が現在の日付より前の宿泊場所を、指定可能な受取場所として表示しないプログラム。
１５−１２．  １５−１０又は１５−１１に記載のプログラムにおいて、
前記受取情報受付手段は、一の宿泊場所を受取場所とする指定を受付けた場合、現在の日付を基準に特定される所定日以降、かつ、宿泊予定日以前を、指定可能な配送希望日として表示するプログラム。
１５−１３．  １５−８乃至１５−１２のいずれかに記載のプログラムにおいて、
前記受取情報受付手段は、一の配送希望日の指定を受付けた場合、前記旅行スケジュールに含まれる宿泊場所及び出国場所であって、当該配送希望日以降に訪問予定の宿泊場所及び出国場所を、指定可能な受取場所として表示するプログラム。
【符号の説明】
【０１６３】
１Ａ    プロセッサ
２Ａ    メモリ
３Ａ    入出力Ｉ／Ｆ
４Ａ    周辺回路
５Ａ    バス
１      商品情報提供装置
２      端末装置
３      ネットワーク
１０    受取情報受付部
２０    選択部
２１    商品情報記憶部
２２    商品選択部
３０    購入受付部
４０    ユーザ識別情報受付部
５０    移動履歴情報取得部
６０    旅行情報取得部
７０    旅行情報記憶部
８０    移動履歴情報記憶部
９０    ユーザ情報記憶部
【図１】
0006693079.tif 000002
【図２】
0006693079.tif 000003
【図３】
0006693079.tif 000004
【図４】
0006693079.tif 000005
【図５】
0006693079.tif 000006
【図６】
0006693079.tif 000007
【図７】
0006693079.tif 000008
【図８】
0006693079.tif 000009
【図９】
0006693079.tif 000010
【図１０】
0006693079.tif 000011
【図１１】
0006693079.tif 000012
【図１２】
0006693079.tif 000013
【図１３】
0006693079.tif 000014
【図１４】
0006693079.tif 000015
【図１５】
0006693079.tif 000016
【図１６】
0006693079.tif 000017
【図１７】
0006693079.tif 000018
【図１８】
0006693079.tif 000019
【図１９】
0006693079.tif 000020
【図２０】
0006693079.tif 000021
【図２１】
0006693079.tif 000022
【図２２】
0006693079.tif 000023
【図２３】
0006693079.tif 000024
【図２４】
0006693079.tif 000025
【図２５】
0006693079.tif 000026
【図２６】
0006693079.tif 000027